(57)【特許請求の範囲】
【請求項１】
循環水が循環する循環水系に薬剤を供給する薬剤供給処理を実行可能な薬剤供給手段と、
補給水を前記循環水系に供給しながら、当該循環水系を流通する循環水の一部を外部に排出するブローダウン処理の終了後、当該ブローダウン処理の実行により必要となった投入量の薬剤が前記循環水系に供給されるように、前記薬剤供給手段において前記薬剤供給処理を実行させる薬剤供給制御部と、を備え、
前記薬剤供給制御部は、ブローダウン処理の終了後に開始された前記薬剤供給処理の実行中に、次のブローダウン処理が実行された場合には、前記薬剤供給処理を中断させ、前記次のブローダウン処理の終了後、中断した前記薬剤供給処理を再開して、一つ前の前記ブローダウン処理の終了後に、前記循環水系に供給すべき薬剤の残りの投入量分と、前記次のブローダウン処理の実行により必要となった薬剤の投入量とを合計した量の薬剤が前記循環水系に供給されるように、前記薬剤供給手段において前記薬剤供給処理を実行させる、
薬剤供給装置。
【請求項２】
前記薬剤供給処理が予め設定された許容待機時間を超過しても実行されない場合に、薬剤が予め設定された投入時間に亘って前記循環水系に供給されるように前記薬剤供給手段において前記薬剤供給処理を実行させる補助薬注制御部と、
前記薬剤供給手段により実行された前記薬剤供給処理の時間に関するデータを記憶する記憶部と、を更に備え、
前記補助薬注制御部は、前記記憶部に記憶された前記薬剤供給手段による過去の直近ｎ回分の前記薬剤供給処理の実行間隔に基づいて算出した時間を前記許容待機時間として設定する、
請求項１に記載の薬剤供給装置。
【請求項３】
前記補助薬注制御部は、前記記憶部に記憶された前記薬剤供給手段による過去の直近ｎ回分の前記薬剤供給処理の実行時間に基づいて算出した時間を前記投入時間として設定する、
請求項２に記載の薬剤供給装置。
【請求項４】
前記補助薬注制御部は、前記薬剤供給手段による過去の直近ｎ回分の前記薬剤供給処理の時間に関するデータが前記記憶部に存在しない場合には、予め設定された既定値を前記薬剤供給処理の時間に関するデータとする、
請求項２又は３に記載の薬剤供給装置。
【発明の詳細な説明】
【技術分野】
【０００１】
本発明は、産業用設備に設けられた循環水系に薬剤を供給する薬剤供給装置に関する。
【背景技術】
【０００２】
従来、商業ビル、工業プラント等には、循環水系を有する各種の産業用設備が設置されている。例えば、循環水系を有する産業用設備として冷却塔が知られている。この冷却塔には、空調機や冷凍機に組み込まれた熱交換器等の被冷却装置が接続されている。循環水系には、これら装置を冷却するための冷却水が循環する。冷却水は、冷却塔で冷却されながら、循環水系を循環する（以下、循環する冷却水を「循環水」ともいう）。すなわち、循環水は、循環水系を介して冷却塔と被冷却装置との間を循環する。【０００３】
循環水が冷却塔で冷却される際に、循環水の一部は蒸発する。そのため、循環水を継続的に循環させると、循環水の濃縮度が徐々に高くなり、水質が悪化する。そこで、循環水の水質を改善するために、ブローダウン処理が実行される。ブローダウン処理は、外部から定期的に新鮮な補給水を供給すると共に、濃縮度の高い循環水の一部を外部に排出して循環水を希釈する処理である。また、ブローダウン処理が実行された際には、循環水又は補給水に、スケール防止剤や防食剤等の薬剤を供給する処理（以下、「薬注処理」ともいう）も実行される。【０００４】
従来、循環水又は補給水に供給する薬剤の無駄を少なくする技術が提案されている。例えば、ブローダウン処理中には薬注処理を実行せず、ブローダウン処理の終了後に、ブローダウン処理の実行時間に比例した薬剤の投入量で薬注処理する薬注制御装置が提案されている（特許文献１，２参照）。
【先行技術文献】
【特許文献】
【０００５】
【特許文献１】特開平１１−６３７４６号公報
【特許文献２】特開２０１１−２４７４４７号公報
【発明の概要】
【発明が解決しようとする課題】
【０００６】
上述した従来の薬注制御装置では、ブローダウン処理の実行中、薬注処理は実行されない。薬注処理は、ブローダウン処理の終了後に実行される。その薬注処理を実行している間に、次のブローダウン処理が実行されることがある。その場合、従来の薬注制御装置では、薬注処理が引き続き実行されるため、次のブローダウン処理の実行中に供給された薬剤が、直ちに循環水の一部と共に系外に排出される場合がある。そのため、従来の薬注制御装置では、薬剤の無駄が発生する可能性があった。【０００７】
従って、本発明は、停止させた薬注処理の実行中に開始されるブローダウン処理により、薬剤が無駄に消費されるのを抑制できる薬剤供給装置を提供することを目的とする。
【課題を解決するための手段】
【０００８】
本発明は、循環水が循環する循環水系に薬剤を供給する薬剤供給処理を実行可能な薬剤供給手段と、補給水を前記循環水系に供給しながら、当該循環水系を流通する循環水の一部を外部に排出するブローダウン処理の終了後、当該ブローダウン処理の実行により必要となった投入量の薬剤が前記循環水系に供給されるように、前記薬剤供給手段において前記薬剤供給処理を実行させる薬剤供給制御部と、を備え、前記薬剤供給制御部は、ブローダウン処理の終了後に開始された前記薬剤供給処理の実行中に、次のブローダウン処理が実行された場合には、前記薬剤供給処理を中断させ、前記次のブローダウン処理の終了後、中断した前記薬剤供給処理を再開して、一つ前の前記ブローダウン処理の終了後に、前記循環水系に供給すべき薬剤の残りの投入量分と、前記次のブローダウン処理の実行により必要となった薬剤の投入量とを合計した量の薬剤が前記循環水系に供給されるように、前記薬剤供給手段において前記薬剤供給処理を実行させる薬剤供給装置に関する。【０００９】
また、前記薬剤供給装置において、前記薬剤供給処理が予め設定された許容待機時間を超過しても実行されない場合に、薬剤が予め設定された投入時間に亘って前記循環水系に供給されるように前記薬剤供給手段において前記薬剤供給処理を実行させる補助薬注制御部と、前記薬剤供給手段により実行された前記薬剤供給処理の時間に関するデータを記憶する記憶部と、を更に備え、前記補助薬注制御部は、前記記憶部に記憶された前記薬剤供給手段による過去の直近ｎ回分の前記薬剤供給処理の実行間隔に基づいて算出した時間を前記許容待機時間として設定することが好ましい。【００１０】
また、前記補助薬注制御部において、前記記憶部に記憶された前記薬剤供給手段による過去の直近ｎ回分の前記薬剤供給処理の実行時間に基づいて算出した時間を前記投入時間として設定することが好ましい。【００１１】
また、前記補助薬注制御部において、前記薬剤供給手段による過去の直近ｎ回分の前記薬剤供給処理の時間に関するデータが前記記憶部に存在しない場合には、予め設定された既定値を前記薬剤供給処理の時間に関するデータとすることが好ましい。
【発明の効果】
【００１２】
本発明によれば、停止させた薬注処理の実行中に開始されるブローダウン処理により、薬剤が無駄に消費されるのを抑制できる薬剤供給装置を提供することができる。
【図面の簡単な説明】
【００１３】
【図１】実施形態の冷却システム１を示す概略構成図である。
【図２】実施形態の冷却システム１の制御に係る機能ブロック図である。
【図３】薬剤供給装置３００の概略構成図である。
【図４】ブローダウン処理と薬注処理との関係を示すタイムチャートである。
【図５】システム制御ユニット１００においてブローダウン処理を実行する場合の処理手順を示すフローチャートである。
【図６】薬剤供給装置３００において通常薬注処理を実行する場合の処理手順を示すフローチャートである。
【図７】薬剤供給装置３００において補助薬注処理を実行する場合の処理手順を示すフローチャートである。
【図８】薬剤供給装置３００において補助薬注処理を実行する場合の処理手順を示すフローチャートである。
【発明を実施するための形態】
【００１４】
以下、図面を参照して、本発明の実施形態を説明する。この実施形態では、本発明に係る薬剤供給装置を適用した冷却システムについて説明する。図１は、本実施形態の冷却システム１を示す概略構成図である。図２は、冷却システム１の制御に係る機能ブロック図である。図３は、薬剤供給装置３００の概略構成図である。
【００１５】
図１に示すように、本実施形態の冷却システム１は、空調機や冷凍機に組み込まれた熱交換器等の被冷却装置１３１を冷却するために、循環水Ｗ２（冷却水）を循環させるシステムである。冷却システム１の運転中、循環水Ｗ２は、冷却塔１２０で冷却されながら循環して用いられる。循環水Ｗ２は、蒸発、飛散及びブローダウン処理（後述）等により減少した分が外部から補給される。本実施形態において、産業用設備としての冷却塔１２０は、いわゆる開放式冷却塔である。
【００１６】
本実施形態の冷却システム１は、主な構成として、冷却塔１２０と、被冷却装置１３１と、循環水ポンプ１３２と、電気伝導率センサ１３３と、補給水バルブ１３６と、システム制御ユニット１００と、薬剤供給装置３００と、を備える。また、冷却システム１は、主なラインとして、循環水ラインＬ１１０と、補給水ラインＬ１２０と、を備える。「ライン」とは、流路、経路、管路等の流体の流通が可能なラインの総称である。図１（及び図３）では、電気的な接続の経路を破線で示している。
【００１７】
冷却塔１２０は、補給水Ｗ１が供給されると共に、この補給水Ｗ１を循環水Ｗ２として被冷却装置１３１へ供給し、被冷却装置１３１から回収（返送）される循環水Ｗ２を冷却する設備である。冷却塔１２０は、塔本体１２１と、貯留部１２２と、を備える。冷却塔１２０及び循環水ラインＬ１１０は、循環水系を構成する。
【００１８】
塔本体１２１は、冷却塔１２０の外郭を形成する筐体である。塔本体１２１は、散水部、ファン、開口部、ルーバー、充填材等からなる循環水冷却部（不図示）を有する。循環水Ｗ２は、循環水冷却部により冷却され、貯留部１２２に落下する。
【００１９】
貯留部１２２は、循環水冷却部で冷却された循環水Ｗ２を貯留する部位である。貯留部１２２は、塔本体１２１の下部に設けられている。貯留部１２２の底部には、循環水ラインＬ１１０の循環水供給ラインＬ１１１（後述）が接続されている。貯留部１２２に貯留された循環水Ｗ２は、循環水供給ラインＬ１１１を介して被冷却装置１３１へ供給される。なお、貯留部１２２には、ブローダウン処理において使用される給水栓１３７及びオーバーフロー口１３８が設けられている。
【００２０】
循環水ラインＬ１１０は、冷却塔１２０と被冷却装置１３１との間で循環水Ｗ２を循環させるラインである。循環水ラインＬ１１０は、循環水供給ラインＬ１１１と、循環水回収ラインＬ１１２と、を有する。
【００２１】
循環水供給ラインＬ１１１は、貯留部１２２と被冷却装置１３１との間を接続する。貯留部１２２内の循環水Ｗ２は、循環水供給ラインＬ１１１を介して被冷却装置１３１に供給される。
【００２２】
循環水供給ラインＬ１１１の途中には、循環水ポンプ１３２が設けられている。循環水ポンプ１３２は、循環水ラインＬ１１０（循環水供給ラインＬ１１１、循環水回収ラインＬ１１２）の上流側から下流側へ向けて、循環水Ｗ２を送り出すことができる。循環水ポンプ１３２は、システム制御ユニット１００と電気的に接続されている。循環水ポンプ１３２の運転（駆動及び停止）は、システム制御ユニット１００から出力されるポンプ運転信号により制御される。
【００２３】
循環水回収ラインＬ１１２は、被冷却装置１３１と塔本体１２１との間を接続するラインである。被冷却装置１３１において熱交換により加温された循環水Ｗ２は、循環水回収ラインＬ１１２を介して塔本体１２１の循環水冷却部（不図示）に回収される。
【００２４】
被冷却装置１３１は、循環水Ｗ２による冷却が必要な熱交換器等の各種装置である。被冷却装置１３１は、例えば、各種の化学プラントのターボ冷凍機や吸収冷凍機、建築物の空調用冷却機、食品工場の冷水製造機や真空冷却機等である。
【００２５】
被冷却装置１３１において、循環水流路の一方の端部には、循環水供給ラインＬ１１１の下流側の端部が接続されている。また、被冷却装置１３１において、循環水流路の他方の端部には、循環水回収ラインＬ１１２の上流側の端部が接続されている。
【００２６】
電気伝導率センサ（以下、「ＥＣセンサ」ともいう）１３３は、貯留部１２２内の循環水Ｗ２の水質を測定して、検出電気伝導率値として出力する装置である。ＥＣセンサ１３３は、システム制御ユニット１００と電気的に接続されている。ＥＣセンサ１３３で測定された検出電気伝導率値（以下、「電気伝導率ＥＣ」ともいう）は、システム制御ユニット１００へ送信される。ＥＣセンサ１３３は、リアルタイムで循環水Ｗ２の電気伝導率を測定し、システム制御ユニット１００へ電気伝導率ＥＣを送信する。
【００２７】
薬剤供給装置３００は、貯留部１２２内の循環水Ｗ２に、スケール防止剤、防食剤、殺菌剤等の薬剤を供給する薬注処理を実行可能な装置である。薬剤供給装置３００は、薬剤供給ラインＬ１４０を介して貯留部１２２に接続されている。薬剤供給装置３００は、システム制御ユニット１００と電気的に接続されている。薬剤供給装置３００の構成については、後に詳細に説明する。
【００２８】
スケール防止剤は、水中でのスケールの成長、或いは配管表面等へのスケールの堆積を防止するために用いられる化合物である。防食剤は、主に配管系等における全面腐食、或いはピッチング等の部分腐食の発生を抑制するために用いられる化合物である。殺菌剤は、水中における微生物の繁殖を抑制するために用いられる化合物であり、スライムコントロール剤とも呼ばれる。本実施形態では、スケール防止剤、防食剤、及び殺菌剤を総称して「薬剤」又は「薬剤Ｗ３」という。
【００２９】
スケール防止剤、防食剤、及び殺菌剤は、例えば一液型のマルチ薬剤として提供され、薬剤タンク３３０、薬剤供給ポンプ３５０及び薬剤供給ラインＬ１４０（いずれも後述）から貯留部１２２に供給される。
【００３０】
薬剤供給ラインＬ１４０は、薬剤Ｗ３を貯留部１２２へ供給するラインである。薬剤供給ラインＬ１４０の上流側の端部は、薬剤供給ポンプ３５０（後述）の吐出口に接続されている。薬剤供給ラインＬ１４０の下流側の端部は、貯留部１２２に接続されている。
【００３１】
また、冷却塔１２０には、補給水ラインＬ１２０が接続されている。補給水ラインＬ１２０は、補給水Ｗ１を貯留部１２２へ補給するラインである。補給水ラインＬ１２０は、上流側に第１補給水ラインＬ１２１を備え、下流側に第２補給水ラインＬ１２２及び第３補給水ラインＬ１２３を備える。第１補給水ラインＬ１２１は、水道水や工業用水等の補給水Ｗ１の供給源（不図示）に接続されている。補給水ラインＬ１２０は、分岐部Ｊ１において、第２補給水ラインＬ１２２及び第３補給水ラインＬ１２３に分岐している。分岐部Ｊ１は、補給水Ｗ１の供給源と冷却塔１２０との間に配置されている。
【００３２】
第２補給水ラインＬ１２２の下流側の端部は、塔本体１２１に接続されている。第２補給水ラインＬ１２２において、分岐部Ｊ１と冷却塔１２０との間には、補給水バルブ１３６が設けられている。
【００３３】
補給水バルブ１３６は、第２補給水ラインＬ１２２を開閉することができる。第２補給水ラインＬ１２２を開くことにより、補給水Ｗ１を貯留部１２２に強制的に供給することができる。補給水バルブ１３６は、システム制御ユニット１００と電気的に接続されている。補給水バルブ１３６の開閉状態は、システム制御ユニット１００（ブローダウン処理制御部２００）から出力されるバルブ駆動信号により制御される。補給水バルブ１３６を開状態とすることにより、第２補給水ラインＬ１２２を開くことができる。補給水バルブ１３６を閉状態とすることにより、第２補給水ラインＬ１２２を閉じることができる。
【００３４】
第３補給水ラインＬ１２３の下流側の端部は、塔本体１２１に接続されている。第３補給水ラインＬ１２３の下流側の端部には、給水栓１３７が設けられている。給水栓１３７は、貯留部１２２内の循環水Ｗ２の水位（すなわち、水量）を管理するボールタップ式の給水設備である。循環水Ｗ２の蒸発及び飛散により貯留部１２２の水位が低下すると、給水栓１３７のボールタップが作動し、第３補給水ラインＬ１２３を流通する補給水Ｗ１が貯留部１２２に補給される。
【００３５】
排水ラインＬ１３０は、貯留部１２２の内部に略垂直に取り付けられている。排水ラインＬ１３０は、貯留部１２２から更に下方に延びている。排水ラインＬ１３０の上流側の端部は、循環水Ｗ２のオーバーフロー口１３８を形成する。オーバーフロー口１３８は、給水栓１３７の管理水位よりも上方に開口する。一方、排水ラインＬ１３０の下流側の端部は、貯留部１２２の外部に通じている。排水ラインＬ１３０は、後述するブローダウン処理において、補給水バルブ１３６が開状態となり、補給水Ｗ１を強制的に供給した場合に、貯留部１２２から溢れた循環水Ｗ２を系外に排出するラインである。
【００３６】
上記構成において、補給水バルブ１３６を開状態とすることにより、補給水Ｗ１を冷却塔１２０に補給しながら、循環水Ｗ２の一部を冷却塔１２０から外部に排出するブローダウン処理を実行させることができる。
【００３７】
次に、図２を参照して、冷却システム１の制御に係る機能について説明する。
【００３８】
システム制御ユニット１００は、冷却システム１における各部の動作を制御する。図２に示すように、システム制御ユニット１００は、例えば、循環水ポンプ１３２、薬剤供給装置３００、及び補給水バルブ１３６と電気的に接続される。
【００３９】
また、システム制御ユニット１００は、冷却システム１の各測定装置と電気的に接続され、これら測定装置から測定情報を受信する。例えば、システム制御ユニット１００は、測定装置としてのＥＣセンサ１３３と電気的に接続される。システム制御ユニット１００において、ＥＣセンサ１３３を含む各測定装置から受信した最新の測定情報は、適宜、メモリ２１０に記憶される。
【００４０】
システム制御ユニット１００は、ブローダウン処理制御部２００と、メモリ２１０と、を備える。システム制御ユニット１００におけるブローダウン処理制御部２００の機能は、ＣＰＵ及び内部メモリ含むマイクロプロセッサ（不図示）により実現される。
【００４１】
ブローダウン処理制御部２００は、ＥＣセンサ１３３で検出された循環水Ｗ２の電気伝導率ＥＣが、予め設定された上限閾値ＥＣｂ１以上となった場合に、補給水バルブ１３６を制御して循環水Ｗ２のブローダウン処理を実行させる。上限閾値ＥＣｂ１は、例えば、スケール防止剤及び防食剤の効果の持続性を担保できる濃縮倍数を考慮して決定される。
【００４２】
ブローダウン処理制御部２００は、ブローダウン処理として、循環水Ｗ２の排水及び補給水Ｗ１の補給を同時に（又は連続して）実施する。具体的には、ブローダウン処理制御部２００は、電気伝導率ＥＣ≧上限閾値ＥＣｂ１となった場合、すなわち循環水Ｗ２の水質が悪化した場合には、補給水バルブ１３６を開状態として、第２補給水ラインＬ１２２を通じて新鮮な補給水Ｗ１を貯留部１２２に強制的に補給する。補給水Ｗ１が補給されると、貯留部１２２の水位が上昇するため、オーバーフロー口１３８から溢れた循環水Ｗ２が排水ラインＬ１３０を通じて外部に排出される。すなわち、ブローダウン処理が実行されると、濃縮の進んだ循環水Ｗ２の一部は、補給水Ｗ１と入れ替わる。そのため、循環水ラインＬ１１０を流通する循環水Ｗ２は、全体として電気伝導率ＥＣが低下する。
【００４３】
そして、ブローダウン処理制御部２００は、補給水バルブ１３６を開状態とした後、電気伝導率ＥＣ≦下限閾値ＥＣｂ２となった場合、すなわち循環水Ｗ２の水質が回復した場合には、補給水バルブ１３６を閉状態として、補給水Ｗ１の補給を停止させる。なお、当然ながら、ブローダウン処理の開始点である上限閾値ＥＣｂ１とブローダウン処理の終了点である下限閾値ＥＣｂ２との関係は、上限閾値ＥＣｂ１＞下限閾値ＥＣｂ２である。
【００４４】
ブローダウン処理制御部２００は、ブローダウン処理を実行する際に、薬剤供給装置３００に外部停止信号（インターロック信号）を出力する。外部停止信号は、ブローダウン処理の実行（開始）を通知するための信号である。また、ブローダウン処理制御部２００は、ブローダウン処理が終了した際に、薬剤供給装置３００への外部停止信号の出力を停止する。
【００４５】
メモリ２１０は、ブローダウン処理等に関する各種のデータを記憶する記憶装置である。例えば、メモリ２１０には、ＥＣセンサ１３３で測定された電気伝導率ＥＣ（更新値）、ブローダウン処理の開始点である上限閾値ＥＣｂ１（設定値）、ブローダウン処理の終了点である下限閾値ＥＣｂ２（設定値）、ブローダウン処理を実行させるための制御プログラム等が記憶される。
【００４６】
次に、図３を参照して、薬剤供給装置３００の構成について詳細に説明する。
図３に示すように、薬剤供給装置３００は、主な構成として、薬注制御ユニット３１０と、薬剤タンク３３０と、薬剤供給ポンプ３５０と、を備える。このうち、薬剤タンク３３０及び薬剤供給ポンプ３５０は、本発明における薬剤供給手段を構成する。
【００４７】
まず、薬剤供給装置３００の制御系の構成について説明する。薬注制御ユニット３１０は、薬剤供給制御部としての比例薬注制御部３１１と、補助薬注制御部３１２と、計時部３１３と、メモリ３２０と、を備える。薬注制御ユニット３１０における比例薬注制御部３１１、補助薬注制御部３１２、及び計時部３１３の各機能は、ＣＰＵ及び内部メモリ含むマイクロプロセッサ（不図示）により実現される。なお、本実施形態において、システム制御ユニット１００は、薬剤供給装置３００に搭載されており、システム制御ユニット１００と薬注制御ユニット３１０の間で各種の測定値や制御状態等の情報を共有する。
【００４８】
比例薬注制御部３１１は、ブローダウン処理の終了後に、ブローダウン処理の実行時間Ｔａに比例した投入量の薬剤Ｗ３が循環水Ｗ２に供給されるように、薬剤供給ポンプ３５０において薬注処理を実行させる。比例薬注制御部３１１は、薬剤供給ポンプ３５０にポンプ駆動信号を出力することにより、薬注処理を実行させる。また、比例薬注制御部３１１は、薬剤供給ポンプ３５０にポンプ駆動信号を出力したことを計時部３１３（後述）に通知して、薬注処理の実行時間Ｔの計時をスタートさせる。比例薬注制御部３１１は、薬剤供給ポンプ３５０へのポンプ駆動信号の出力を停止することにより、薬注処理の実行を終了させる。また、比例薬注制御部３１１は、薬剤供給ポンプ３５０へのポンプ駆動信号の出力を停止したことを計時部３１３に通知して、薬注処理の実行時間Ｔの計時をストップさせる。以下、ブローダウン処理の終了後に実行される薬注処理を「通常薬注処理」ともいう。
【００４９】
比例薬注制御部３１１は、ブローダウン処理中における補給水バルブ１３６の開時間を、ブローダウン処理の実行時間Ｔａとして計時部３１３に計時させる。比例薬注制御部３１１は、ブローダウン処理制御部２００（システム制御ユニット１００）から外部停止信号が出力されたことを計時部３１３に通知して、計時部３１３においてブローダウン処理の実行時間Ｔａの計時をスタートさせる。また、比例薬注制御部３１１は、ブローダウン処理制御部２００からの外部停止信号の出力が停止したことを計時部３１３に通知して、計時部３１３においてブローダウン処理の実行時間Ｔａの計時をストップさせる。そして、比例薬注制御部３１１は、計時部３１３において計時されたブローダウン処理の実行時間Ｔａをメモリ３２０（後述）に記憶させる。
【００５０】
比例薬注制御部３１１は、ブローダウン処理制御部２００から外部停止信号が出力されたときに、ブローダウン処理が開始（実行）されたと判定する。また、比例薬注制御部３１１は、ブローダウン処理制御部２００から外部停止信号の出力が停止したときに、ブローダウン処理が終了したと判定する。
【００５１】
比例薬注制御部３１１は、ブローダウン処理の終了後に通常薬注処理を実行させる。言い換えると、比例薬注制御部３１１は、ブローダウン処理の実行中には通常薬注処理を実行させない。また、比例薬注制御部３１１は、通常薬注処理の実行中に次のブローダウン処理が実行された場合には、その通常薬注処理を中断させ、そのブローダウン処理の終了後に、中断させた通常薬注処理を再開させる。
【００５２】
比例薬注制御部３１１は、中断した通常薬注処理を再開させた際に、中断させた通常薬注処理において薬剤が循環水Ｗ２に供給されなかった時間と、次のブローダウン処理の実行時間Ｔａとを合計した時間に比例した量の薬剤Ｗ３が循環水Ｗ２に供給されるように、薬剤供給ポンプ３５０において通常薬注処理を実行させる。
【００５３】
ここで、通常薬注処理における薬剤の投入量について、図４を参照しながら説明する。図４は、ブローダウン処理と薬注処理との関係を示すタイムチャートである。図４に示すタイムチャートおいて、上段は、補給水バルブ１３６の開時間（ブローダウン処理時間）を示す。また、図４において、下段は、薬剤供給ポンプ３５０の運転時間（薬注時間）を示す。また、下段は、通常薬注処理及び補助薬注処理を示している。なお、図４では、それぞれの時間間隔を概念的な長さで示しており、実際の時間間隔とは対応していない。
【００５４】
図４に示すように、本実施形態の冷却システム１では、ブローダウン処理Ａ、Ｂ、Ｃ、…の終了後に、それぞれ通常薬注処理ａ、ｂ、ｃ、…が実行される。
【００５５】
通常薬注処理においては、例えば、ブローダウン処理Ａの実行時間Ｔ１と同じ時間が通常薬注処理ａの投入時間Ｔ１として設定される。そして、ブローダウン処理Ａの終了後の通常薬注処理ａにおいて、投入時間Ｔ１に比例した投入量の薬剤Ｗ３が循環水Ｗ２に供給される。他のブローダウン処理と通常薬注処理の関係も同様である。
【００５６】
また、図４に示すように、例えば、通常薬注処理ｃを実行している間に、次のブローダウン処理Ｄが実行された場合、比例薬注制御部３１１は、通常薬注処理ｃを中断させる。そして、比例薬注制御部３１１は、ブローダウン処理Ｄの終了後に、通常薬注処理ｃを再開させる。また、比例薬注制御部３１１は、通常薬注処理ｃに引き続いて、ブローダウン処理Ｄの実行により必要となった薬剤を投入するために、薬剤供給ポンプ３５０において通常薬注処理ｄを実行させる。
【００５７】
比例薬注制御部３１１は、通常薬注処理ｃを再開させたときに、中断する前の通常薬注処理ｃにおいて薬剤が循環水Ｗ２に供給されなかった時間（Ｔ３−ｔ３）と、ブローダウン処理Ｄの実行時間Ｔ４とを合計した時間（Ｔ３−ｔ３）＋Ｔ４に比例した量の薬剤Ｗ３が循環水Ｗ２に供給されるように、薬剤供給ポンプ３５０において通常薬注処理を実行させる。これにより、通常薬注処理ｃの実行中にブローダウン処理Ｄが実行された場合でも、ブローダウン処理Ｄの終了後に、速やかに必要量の薬剤Ｗ３を循環水Ｗ２に供給することができる。
【００５８】
次に、補助薬注制御部３１２について説明する。補助薬注制御部３１２は、比例薬注制御部３１１による通常薬注処理が予め設定された許容待機時間Ｔｗを超過しても実行されない場合、すなわち計時部３１３（後述）の計時する滞留時間ＴＴが許容待機時間Ｔｗを超過した場合には、薬剤が予め設定された投入時間に亘って循環水Ｗ２に供給されるように、薬剤供給ポンプ３５０において薬注処理を実行させる。
【００５９】
ここで、許容待機時間Ｔｗとは、薬注処理の終了後において、補助薬注処理を実行するか否かを判定する際の閾値となる時間である。補助薬注制御部３１２は、計時部３１３の計時する滞留時間ＴＴが許容待機時間Ｔｗを超過した場合には、薬剤供給ポンプ３５０にポンプ駆動信号を出力して、薬注処理を実行させる。
【００６０】
以下、ブローダウン処理の終了後において、許容待機時間Ｔｗを超過した場合に実行される薬注処理を「補助薬注処理」ともいう。また、以下の説明において、通常薬注処理又は補助薬注処理を、適宜に「薬注処理」と総称する。
【００６１】
次に、補助薬注処理における許容待機時間Ｔｗ及び投入時間Ｔｆについて、再び図４に示すタイムチャートを参照しながら説明する。
【００６２】
補助薬注制御部３１２は、メモリ３２０に記憶された過去の直近３回分の薬注処理の実行間隔Ｚ（Ｚｉ、Ｚｉ＋１、Ｚｉ＋２）に基づいて、移動平均値を求める下記の式（１）により最新の許容待機時間Ｔｗを算出する。
Ｔｗ＝（Ｚｉ＋Ｚｉ＋１＋Ｚｉ＋２）／３            （１）
但し、Ｚｉ（直近３回前の実行間隔：最古のデータ）、Ｚｉ＋１（直近２回前の実行間隔）、Ｚｉ＋２（直近１回前の実行間隔：最新のデータ）とする。
【００６３】
図４において、補助薬注制御部３１２による補助薬注処理αは、（Ｚ１＋Ｚ２＋Ｚ３）／３により算出された許容待機時間Ｔｗを経過した時点で実行される。補助薬注処理αが実行されると、算出済みの許容待機時間Ｔｗが、新たに直近１回前における最新の実行間隔Ｚ４としてメモリ３２０に記憶される。また、このときに、実行間隔Ｚ１（直近３回前：最古のデータ）がメモリ３２０から削除される。これにより、図４に示すように、補助薬注処理αの終了後における次の許容待機時間Ｔｗは、（Ｚ２＋Ｚ３＋Ｚ４）／３により算出される。そして、次回の補助薬注処理βが実行されると、算出済みの許容待機時間Ｔｗが、新たに直近１回前における最新の実行間隔Ｚ５としてメモリ３２０に記憶される。
【００６４】
また、補助薬注制御部３１２は、メモリ３２０に記憶された過去の直近３回分の薬注処理の実行時間Ｔ（Ｔｉ、Ｔｉ＋１、Ｔｉ＋２）に基づいて、移動平均値を求める下記の式（２）により薬剤の投入時間Ｔｆを算出する。
Ｔｆ＝（Ｔｉ＋Ｔｉ＋１＋Ｔｉ＋２）／３            （２）
但し、Ｔｉ（直近３回前の実行時間：最古のデータ）、Ｔｉ＋１（直近２回前の実行時間）、Ｔｉ＋２（直近１回前の実行時間：最新のデータ）とする。
【００６５】
図４において、補助薬注制御部３１２による補助薬注処理αでは、（Ｔ２＋Ｔ３＋Ｔ４）／３により算出された投入時間Ｔ５（＝Ｔｆ）に亘って薬剤Ｗ３が循環水Ｗ２に供給される。補助薬注処理αが実行されると、算出済みの投入時間Ｔ５が、新たに直近１回前における最新のデータとしてメモリ３２０に記憶される。また、このときに、投入時間Ｔ２（直近３回目：最古のデータ）がメモリ３２０から削除される。これにより、図４に示すように、補助薬注処理αの次回に予定される補助薬注処理βの投入時間Ｔ６（＝Ｔｆ）は、（Ｔ３＋Ｔ４＋Ｔ５）／３により算出される。そして、次回の補助薬注処理βが実行されると、算出済みの投入時間Ｔ６が、新たに直近１回前における最新のデータとしてメモリ３２０に記憶される。
【００６６】
また、図４に示すように、例えば、補助薬注処理βを実行している間に、ブローダウン処理Ｅが実行された場合、補助薬注制御部３１２は、補助薬注処理βを中断させる。一方、比例薬注制御部３１１は、ブローダウン処理Ｅの終了後に、薬剤供給ポンプ３５０において通常薬注処理ｅを実行させる。上述したように、通常薬注処理ｅにおける薬剤の投入時間Ｔ７は、ブローダウン処理Ｅの実行時間Ｔ７と同じ時間に設定される。
【００６７】
ここで、補助薬注制御部３１２は、中断する前の補助薬注処理βにおいて薬剤が循環水Ｗ２に供給されなかった時間（Ｔ６−ｔ５）に比例した量の薬剤については、薬注処理を実行させない。補助薬注処理は、循環水Ｗ２の長時間の滞留に伴う薬効の低下や喪失を補うものとして実行される。ブローダウン処理Ｅが実行されれば、その後の通常薬注処理ｅにより新規の薬剤Ｗ３が供給され、循環水Ｗ２中の薬剤Ｗ３が入れ替わる。そのため、ブローダウン処理Ｅの終了後において、通常薬注処理ｅで必要となる投入時間Ｔ７を超えて薬剤Ｗ３を投入することは、薬剤の無駄となる。
【００６８】
なお、補助薬注制御部３１２は、薬剤供給装置３００による過去の直近３回分の薬注処理の実行間隔Ｚ、及び薬注処理の実行時間Ｔがメモリ３２０に存在しない場合には、メモリ３２０に予め設定された既定値を許容待機時間Ｔｗ及び投入時間Ｔｆとして使用する。そのため、薬剤供給装置３００は、システムの運用開始直後においても、補助薬注処理を実行することができる。なお、規定値としては、季節的な冷却塔の負荷にもよるが、例えば、許容待機時間Ｔｗを６時間に、投入時間Ｔｆを１分に設定することができる。
【００６９】
再び、図３に戻って薬剤供給装置３００の構成を説明する。
計時部３１３は、通常薬注処理又は補助薬注処理の実行時間Ｔを計時する。具体的には、計時部３１３は、ポンプ駆動信号を出力したことを比例薬注制御部３１１又は補助薬注制御部３１２から通知されると、実行時間Ｔの計時をスタートする。また、計時部３１３は、ポンプ駆動信号の出力が停止したことを比例薬注制御部３１１又は補助薬注制御部３１２から通知されると、実行時間Ｔの計時をストップする。計時部３１３は、計時した実行時間Ｔをメモリ３２０に記憶させる。
【００７０】
計時部３１３は、通常薬注処理又は補助薬注処理の終了後からの経過時間を、滞留時間ＴＴとして計時する。具体的には、計時部３１３は、通常薬注処理又は補助薬注処理が終了して、ポンプ駆動信号の出力を停止したことを比例薬注制御部３１１又は補助薬注制御部３１２から通知されると、滞留時間ＴＴの計時をスタートする。また、計時部３１３は、通常薬注処理又は補助薬注処理が開始され、ポンプ駆動信号が出力されたことを比例薬注制御部３１１又は補助薬注制御部３１２から通知されると、滞留時間ＴＴの計時をストップする。計時部３１３は、計時した滞留時間ＴＴをメモリ３２０に記憶させる。また、計時部３１３は、滞留時間ＴＴの計時中に通常薬注処理が開始されて、ポンプ駆動信号が出力されたことを比例薬注制御部３１１から通知されると、計時した滞留時間ＴＴをリセットする（例えば、後述する図７のステップＳＴ３０５）。
【００７１】
なお、薬剤供給ポンプ３５０として、ストローク数が１〜３６０ストローク／分の範囲で調節可能な電磁駆動ダイアフラム式の定量ポンプを用いた場合に、計時部３１３は、前回のパルス信号の出力がＯＦＦになってから６０秒を経過した後に計時をスタートする。上記ストローク数の範囲では、比例薬注制御部３１１又は補助薬注制御部３１２から出力されるパルス信号（ポンプ駆動信号）の間隔が６０〜０．１７秒となる。そのため、計時部３１３は、パルス信号の出力がＯＦＦしてから６０秒を経過してもパルス信号の出力がＯＮにならなければ、間違いなく薬剤供給ポンプ３５０が停止していると判定できるからである。
【００７２】
また、計時部３１３は、ブローダウン処理の実行時間Ｔａを計時する。具体的には、計時部３１３は、ブローダウン処理制御部２００より外部停止信号が出力されたことを比例薬注制御部３１１から通知されると、ブローダウン処理の実行時間Ｔａの計時をスタートさせる。一方、計時部３１３は、ブローダウン処理制御部２００において外部停止信号の出力が停止されたことを比例薬注制御部３１１から通知されると、ブローダウン処理の実行時間Ｔａの計時をストップさせる。
【００７３】
また、計時部３１３は、通常薬注処理の実行がブローダウン処理により中断した場合には、通常薬注処理を中断している間の時間を計時する。具体的には、計時部３１３は、通常薬注処理の実行時間Ｔを計時している間に、ポンプ駆動信号の出力が停止されたことを比例薬注制御部３１１から通知され、且つ、ブローダウン処理制御部２００において外部停止信号が出力されたことを比例薬注制御部３１１から通知された場合には、通常薬注処理の実行時間Ｔをストップすると共に、通常薬注処理を中断している間の時間の計時をスタートする。
【００７４】
また、計時部３１３は、中断した通常薬注処理が再開された場合には、中断した通常薬注処理が再開されてからの時間を計時する。具体的には、計時部３１３は、通常薬注処理を中断している間の時間を計時している間に、ポンプ駆動信号が出力されたことを比例薬注制御部３１１から通知され、且つ、ブローダウン処理制御部２００において外部停止信号の出力が停止されことを比例薬注制御部３１１から通知された場合には、通常薬注処理を中断している間の時間の計時をストップすると共に、中断した通常薬注処理が再開されてからの時間の計時をスタートする。
【００７５】
メモリ３２０は、主に薬注処理の時間に関するデータを記憶する記憶装置である。以下、メモリ３２０に記憶されるデータについて説明する。
【００７６】
メモリ３２０には、計時部３１３において計時されたブローダウン処理の実行時間Ｔａ、滞留時間ＴＴ（通常薬注処理又は補助薬注処理の終了後からの経過時間）が記憶される。
【００７７】
メモリ３２０には、薬剤供給装置３００による過去の直近３回分の薬注処理の実行間隔Ｚ（Ｚｉ、Ｚｉ＋１、Ｚｉ＋２）、及びこれらのデータに基づいて算出された許容待機時間Ｔｗが記憶される。
【００７８】
メモリ３２０には、薬剤供給装置３００による過去の直近３回分の薬注処理の実行時間Ｔ（Ｔｉ、Ｔｉ＋１、Ｔｉ＋２）、及びこれらのデータに基づいて算出された補助薬注処理の投入時間Ｔｆが記憶される。
【００７９】
メモリ３２０に記憶される許容待機時間Ｔｗ及び投入時間Ｔｆは、上述したように、移動平均値を求める式により算出される。そして、補助薬注処理が実行されると、算出済みの許容待機時間Ｔｗ及び投入時間Ｔｆが、実行間隔Ｚ及び実行時間Ｔの最新データとしてメモリ３２０に記憶される。
【００８０】
また、メモリ３２０には、過去の直近３回分の薬注処理の実行間隔Ｚ及び実行時間Ｔが記憶されていない場合に用いられるデフォルト値として、予め設定された許容待機時間Ｔｗ及び実行時間Ｔｆに係る既定値が記憶される。
【００８１】
次に、図３に示す薬剤供給装置３００において、循環水Ｗ２に薬剤Ｗ３を供給するライン及びその周辺設備の構成について説明する。
【００８２】
薬剤タンク３３０は、内部に薬剤を貯留可能な容器である。薬剤タンク３３０の内部には、レベルセンサ３４０が設けられている。また、薬剤タンク３３０には、薬剤供給ポンプ３５０が接続されている。
【００８３】
レベルセンサ３４０は、薬剤タンク３３０内の薬剤の液位（すなわち、液量）を検出する機器である。レベルセンサ３４０は、薬注制御ユニット３１０と電気的に接続されている。レベルセンサ３４０は、薬剤タンク３３０内の薬剤の液位に応じたレベル信号を出力する。レベルセンサ３４０から出力されたレベル信号は、薬注制御ユニット３１０に送信される。薬注制御ユニット３１０は、レベル信号が満水液位Ａから減少して、設定液位Ｂに満たなくなると、例えば、警報器に警報を一定時間発生させて、管理者に薬剤の補充を促す。
【００８４】
薬剤供給ポンプ３５０は、薬剤タンク３３０内の薬剤Ｗ３を、薬剤供給ラインＬ１４０を介して貯留部１２２に向けて送出する装置である。本実施形態の薬剤供給ポンプ３５０は、電磁駆動ダイアフラム式の定量ポンプである。薬剤供給ポンプ３５０として、電磁駆動ダイアフラム式の定量ポンプを用いた場合、ダイアフラム弁（不図示）が往復運動することにより、薬剤Ｗ３が断続的に薬剤供給ラインＬ１４０へ押し込まれる。その結果、薬剤供給ラインＬ１４０の上流側では圧力が上昇するため、薬剤Ｗ３は、薬剤供給ラインＬ１４０の下流側から貯留部１２２に吐出される。
【００８５】
薬剤供給ポンプ３５０は、ダイアフラム弁の１ストローク当たりの吐出量［ｍＬ／ストローク］を所定値に設定し、且つストローク数［ストローク／分］を増減することにより、薬剤の吐出流量［ｍＬ／分］を調節できる。ストローク数とは、単位時間当たりにダイアフラム弁が往復運動する回数をいい、１往復が１ストロークに相当する。薬剤供給ポンプ３５０は、比例薬注制御部３１１（薬注制御ユニット３１０）と電気的に接続されている。薬剤供給ポンプ３５０は、比例薬注制御部３１１からポンプ駆動信号（パルス信号）が出力されると、そのパルス幅の期間（以下、「運転時間」ともいう）に亘って、指定されたストローク数での薬剤の投入を実行する。
【００８６】
なお、本実施形態では、スケール防止剤、防食剤、及び殺菌剤を配合した一液型のマルチ薬剤を、一つの薬剤供給装置３００から貯留部１２２に供給する例について説明する。化合物の特性により一液に配合することが困難な場合には、スケール防止剤、防食剤、及び殺菌剤を、それぞれ個別の薬剤供給装置から貯留部１２２に供給してもよい。
【００８７】
薬剤供給ラインＬ１４０には、フローチェッカ１４１及びチェックバルブ１４２が設けられている。
【００８８】
フローチェッカ１４１は、薬剤供給ラインＬ１４０における薬剤Ｗ３の流通状態を検出する機器である。フローチェッカ１４１は、薬注制御ユニット３１０と電気的に接続されている。フローチェッカ１４１は、薬剤供給ラインＬ１４０を薬剤Ｗ３が適正に流通していないことを検出した場合、薬注制御ユニット３１０に検出信号を送信する。例えば、薬剤供給ラインＬ１４０に気泡や固形物が混入し、一時的に薬剤Ｗ３の流通が滞った場合には、フローチェッカ１４１から薬注制御ユニット３１０に閉塞検出信号が送信される。フローチェッカ１４１は、薬剤供給ラインＬ１４０において、薬剤タンク３３０とチェックバルブ１４２との間に設けられている。
【００８９】
チェックバルブ１４２は、薬剤の流通方向を規制する弁である。チェックバルブ１４２は、薬剤タンク３３０から貯留部１２２に向けて薬剤Ｗ３が圧送されるときには、弁体が開き、貯留部１２２から逆流が起こったときには、弁体が閉じる。チェックバルブ１４２は、薬剤供給ラインＬ１４０と貯留部１２２との接続部分に設けられている。
【００９０】
次に、本実施形態の冷却システム１において実行されるブローダウン処理及び薬注処理の動作を、図５〜図８に示すフローチャートを参照しながら説明する。
【００９１】
まず、ブローダウン処理について説明する。図５は、システム制御ユニット１００においてブローダウン処理を実行する場合の処理手順を示すフローチャートである。図５に示すフローチャートの処理は、メモリ２１０に記憶された制御プログラムに基づいて、ブローダウン処理制御部２００により実行される。また、図５に示すフローチャートの処理は、冷却システム１の運転中において、繰り返し実行される。
【００９２】
図５に示すステップＳＴ１０１において、ブローダウン処理制御部２００は、ＥＣセンサ１３３で測定された循環水Ｗ２の電気伝導率ＥＣ、及びブローダウン処理の開始点である上限閾値ＥＣｂ１をメモリ２１０から取得する。
【００９３】
ステップＳＴ１０２において、ブローダウン処理制御部２００は、電気伝導率ＥＣが上限閾値ＥＣｂ１以上か否かを判定する。このステップＳＴ１０２において、ブローダウン処理制御部２００により、電気伝導率ＥＣ≧上限閾値ＥＣｂ１である（ＹＥＳ）と判定された場合には、循環水Ｗ２の濃縮度が所定の濃縮度に達したため、処理はステップＳＴ１０３へ移行する。また、ステップＳＴ１０２において、ブローダウン処理制御部２００により、電気伝導率ＥＣ＜上限閾値ＥＣｂ１である（ＮＯ）と判定された場合には、循環水Ｗ２の濃縮度が所定の濃縮度に達していないため、処理はステップＳＴ１０１へ戻る。
【００９４】
ステップＳＴ１０３（ステップＳＴ１０２：ＹＥＳ）において、ブローダウン処理制御部２００は、補給水バルブ１３６を開状態として、ブローダウン処理を開始する。なお、ブローダウン処理制御部２００は、ブローダウン処理を開始する際に、比例薬注制御部３１１（薬剤供給装置３００）に外部停止信号を出力する。比例薬注制御部３１１は、ブローダウン処理制御部２００から外部停止信号が出力されたことを計時部３１３に通知して、計時部３１３においてブローダウン処理の実行時間Ｔａの計時をスタートさせる。
【００９５】
ステップＳＴ１０３においてブローダウン処理が実行されることにより、補給水Ｗ１が貯留部１２２に強制的に補給される一方、貯留部１２２内の循環水Ｗ２の一部が排水ラインＬ１３０から外部に排出されるため、循環水Ｗ２の電気伝導率ＥＣは徐々に低下する。
【００９６】
ステップＳＴ１０４において、ブローダウン処理制御部２００は、ＥＣセンサ１３３で測定された循環水Ｗ２の電気伝導率ＥＣ、及びブローダウン処理の終了点である下限閾値ＥＣｂ２をメモリ２１０から取得する。
【００９７】
ステップＳＴ１０５において、ブローダウン処理制御部２００は、電気伝導率ＥＣが下限閾値ＥＣｂ２以下か否かを判定する。このステップＳＴ１０５において、ブローダウン処理制御部２００により、電気伝導率ＥＣ≦下限閾値ＥＣｂ２である（ＹＥＳ）と判定された場合には、循環水Ｗ２の濃縮度が十分に低下したと考えられるため、処理はステップＳＴ１０６へ移行する。また、ステップＳＴ１０５において、ブローダウン処理制御部２００により、電気伝導率ＥＣ＞下限閾値ＥＣｂ２である（ＮＯ）と判定された場合には、循環水Ｗ２の濃縮度が未だ低下していないと考えられるため、処理はステップＳＴ１０４へ戻る。
【００９８】
ステップＳＴ１０６（ステップＳＴ１０５：ＹＥＳ）において、ブローダウン処理制御部２００は、補給水バルブ１３６を閉状態として、ブローダウン処理を終了する。これにより、本フローチャートの処理は終了する（ステップＳＴ１０１へリターンする）。なお、ブローダウン処理制御部２００は、ブローダウン処理を終了する際に、比例薬注制御部３１１（薬剤供給装置３００）への外部停止信号の出力を停止する。比例薬注制御部３１１は、ブローダウン処理制御部２００からの外部停止信号の出力が停止したことを計時部３１３に通知して、計時部３１３においてブローダウン処理の実行時間Ｔａの計時をストップさせる。計時部３１３で計時されたブローダウン処理の実行時間Ｔａは、メモリ３２０に記憶される。
【００９９】
次に、通常薬注処理について説明する。図６は、薬剤供給装置３００において通常薬注処理を実行する場合の処理手順を示すフローチャートである。図６に示すフローチャートの処理は、メモリ３２０に記憶された制御プログラムに基づいて、薬注制御ユニット３１０の比例薬注制御部３１１及び計時部３１３により実行される。また、図６に示すフローチャートの処理は、冷却システム１の運転中において、繰り返し実行される。
【０１００】
図６に示すステップＳＴ２０１において、比例薬注制御部３１１は、ブローダウン処理が開始（実行）されたか否かを判定する。このステップＳＴ２０１において、比例薬注制御部３１１により、ブローダウン処理が開始された（ＹＥＳ）と判定された場合に、処理はステップＳＴ２０２へ移行する。また、ステップＳＴ２０１において、比例薬注制御部３１１により、ブローダウン処理が開始されていない（ＮＯ）と判定された場合に、処理はステップＳＴ２０１へ戻る。
【０１０１】
ステップＳＴ２０２（ステップＳＴ２０１：ＹＥＳ）において、比例薬注制御部３１１は、通常薬注処理の実行中か否かを判定する。このステップＳＴ２０２において、比例薬注制御部３１１により、通常薬注処理の実行中である（ＹＥＳ）と判定された場合に、処理はステップＳＴ２０３へ移行する。また、ステップＳＴ２０２において、比例薬注制御部３１１により、通常薬注処理の実行中ではない（ＮＯ）と判定された場合に、処理はステップＳＴ２０４へ移行する。
【０１０２】
ステップＳＴ２０３（ステップＳＴ２０２：ＹＥＳ）において、比例薬注制御部３１１は、薬剤供給ポンプ３５０へのポンプ駆動信号の出力を停止して、通常薬注処理を中断させる。また、計時部３１３は、通常薬注処理の実行時間の計時をストップして、通常薬注処理の開始から中断までの間の実行時間をメモリ３２０に記憶させる。なお、計時部３１３において、通常薬注処理の計時は、ステップＳＴ２０９（後述）の処理においてスタートする。
【０１０３】
ステップＳＴ２０４（ステップＳＴ２０３：終了／ステップＳＴ２０２：ＮＯ）において、比例薬注制御部３１１は、ブローダウン処理が終了したか否かを判定する。このステップＳＴ２０４において、比例薬注制御部３１１により、ブローダウン処理が終了した（ＹＥＳ）と判定された場合に、処理はステップＳＴ２０５へ移行する。また、ステップＳＴ２０４において、比例薬注制御部３１１により、ブローダウン処理が終了していない（ＮＯ）と判定された場合に、処理はステップＳＴ２０４へ戻る。
【０１０４】
ステップＳＴ２０５（ステップＳＴ２０４：ＹＥＳ）において、比例薬注制御部３１１は、通常薬注処理を中断しているか否かを判定する。このステップＳＴ２０５において、比例薬注制御部３１１により、通常薬注処理を中断している（ＹＥＳ）と判定された場合に、処理はステップＳＴ２０６へ移行する。また、ステップＳＴ２０５において、比例薬注制御部３１１により、通常薬注処理を中断していない（ＮＯ）と判定された場合に、処理はステップＳＴ２０８へ移行する。
【０１０５】
ステップＳＴ２０６（ステップＳＴ２０５：ＹＥＳ）において、比例薬注制御部３１１は、薬剤供給ポンプ３５０へのポンプ駆動信号の出力を再開して、中断していた通常薬注処理を再開させる。再開した通常薬注処理では、中断する前の通常薬注処理において薬剤が循環水Ｗ２に供給されなかった時間と、ステップＳＴ２０１で実行中と判定されたブローダウン処理の実行時間とを合計した時間に比例した量の薬剤Ｗ３が循環水Ｗ２に供給される。
【０１０６】
なお、中断する前の通常薬注処理において薬剤が循環水Ｗ２に供給されなかった時間は、ステップＳＴ２０１で実行が通知されたブローダウン処理の実行時間から、通常薬注処理の開始から中断までの間の実行時間（ステップＳＴ２０３にてメモリ３２０に記憶）を減算することにより算出できる。ステップＳＴ２０６の通常薬注処理が終了すると、処理はステップＳＴ２０７へ移行する。
【０１０７】
ステップＳＴ２０７において、計時部３１３は、通常薬注処理の実行時間の計時をストップし、計時した通常薬注処理の実行時間（中断があった場合には、先のブローダウン処理の実行時間に対応する通常薬注処理の実行時間と、次のブローダウン処理の実行時間に対応する通常薬注処理の実行時間の各々）をメモリ３２０に記憶させる。これにより、本フローチャートの処理は終了する（ステップＳＴ２０１へリターンする）。
【０１０８】
一方、ステップＳＴ２０５（ＮＯ）から移行したステップＳＴ２０８において、比例薬注制御部３１１は、ステップＳＴ２０１で実行中と判定されたブローダウン処理の実行時間Ｔａをメモリ３２０から取得する。
【０１０９】
ステップＳＴ２０９において、比例薬注制御部３１１は、ステップＳＴ２０８で取得したブローダウン処理の実行時間Ｔａに比例した投入量の薬剤Ｗ３が循環水Ｗ２に供給されるように、薬剤供給ポンプ３５０において通常薬注処理を実行させる。また、計時部３１３は、通常薬注処理の実行時間の計時をスタートさせる。
【０１１０】
ステップＳＴ２１０において、比例薬注制御部３１１は、ブローダウン処理が開始（実行）された否かを判定する。このステップＳＴ２１０において、比例薬注制御部３１１により、ブローダウン処理が開始された（ＹＥＳ）と判定された場合に、処理はステップＳＴ２０３へ移行する。また、ステップＳＴ２１０において、比例薬注制御部３１１により、ブローダウン処理が開始されていない（ＮＯ）と判定された場合に、処理はステップＳＴ２１１へ移行する。
【０１１１】
ステップＳＴ２１１（ステップＳＴ２１０：ＮＯ）において、比例薬注制御部３１１は、通常薬注処理が終了したか否かを判定する。このステップＳＴ２１１において、比例薬注制御部３１１により、通常薬注処理が終了した（ＹＥＳ）と判定された場合に、処理はステップＳＴ２０７へ移行する。また、ステップＳＴ２１１において、比例薬注制御部３１１により、通常薬注処理が終了していない（ＮＯ）と判定された場合に、処理はステップＳＴ２１０へ戻る。
【０１１２】
次に、補助薬注処理について説明する。図７及び図８は、薬剤供給装置３００において補助薬注処理を実行する場合の処理手順を示すフローチャートである。図７及び図８に示すフローチャートの処理は、メモリ３２０に記憶された制御プログラムに基づいて、補助薬注制御部３１２及び計時部３１３により実行される。また、図７及び図８に示すフローチャートの処理は、冷却システム１の運転中において、繰り返し実行される。
【０１１３】
図７に示すステップＳＴ３０１において、補助薬注制御部３１２は、薬注処理（通常薬注処理又は補助薬注処理）が終了したか否かを判定する。このステップＳＴ３０１において、補助薬注制御部３１２により、薬注処理が終了した（ＹＥＳ）と判定された場合に、処理はステップＳＴ３０２へ移行する。また、ステップＳＴ３０１において、補助薬注制御部３１２により、薬注処理が終了していない（ＮＯ）と判定された場合に、処理はステップＳＴ３０１へ戻る。
【０１１４】
ステップＳＴ３０２（ステップＳＴ３０１：ＹＥＳ）において、計時部３１３は、滞留時間ＴＴの計時をスタートする。滞留時間ＴＴは、薬注処理の実行後からの経過時間である。
【０１１５】
ステップＳＴ３０３において、補助薬注制御部３１２は、計時部３１３で計時されている滞留時間ＴＴが許容待機時間Ｔｗを超過したか否かを判定する。補助薬注制御部３１２は、許容待機時間Ｔｗをメモリ３２０から取得する。このステップＳＴ３０３において、補助薬注制御部３１２により、滞留時間ＴＴ＞許容待機時間Ｔｗである（ＹＥＳ）と判定された場合に、処理はステップＳＴ３０６へ移行する。また、ステップＳＴ３０３において、補助薬注制御部３１２により、滞留時間ＴＴ≦許容待機時間Ｔｗである（ＮＯ）と判定された場合に、処理はステップＳＴ３０４へ移行する。
【０１１６】
ステップＳＴ３０４（ステップＳＴ３０３：ＮＯ）において、補助薬注制御部３１２は、通常薬注処理が実行されたか否かを判定する。このステップＳＴ３０４において、補助薬注制御部３１２により、通常薬注処理が実行された（ＹＥＳ）と判定された場合に、処理はステップＳＴ３０５へ移行する。また、ステップＳＴ３０４において、補助薬注制御部３１２により、通常薬注処理が実行されていない（ＮＯ）と判定された場合に、処理はステップＳＴ３０３へ戻る。
【０１１７】
ステップＳＴ３０５（ステップＳＴ３０４：ＹＥＳ）において、補助薬注制御部３１２は、計時部３１３による滞留時間ＴＴの計時をリセットさせる。これにより、本フローチャートの処理は終了する（ステップＳＴ３０１へリターンする）。滞留時間ＴＴが許容待機時間Ｔｗに達する前に通常薬注処理が実行された場合には、補助薬注処理を実行させないためである。
【０１１８】
一方、ステップＳＴ３０６（ステップＳＴ３０３：ＹＥＳ）において、補助薬注制御部３１２は、補助薬注処理の投入時間Ｔｆをメモリ３２０から取得する。
【０１１９】
ステップＳＴ３０７において、補助薬注制御部３１２は、ステップＳＴ３０６で取得した投入時間Ｔｆに比例した投入量の薬剤Ｗ３が循環水Ｗ２に供給されるように、薬剤供給ポンプ３５０にポンプ駆動信号を出力して、補助薬注処理を実行させる。また、計時部３１３は、補助薬注処理の実行時間の計時をスタートする。
【０１２０】
次に、図８に示すステップＳＴ３０８において、補助薬注制御部３１２は、ブローダウン処理が開始（実行）されたか否かを判定する。このステップＳＴ３０８において、補助薬注制御部３１２により、ブローダウン処理が開始された（ＹＥＳ）と判定された場合に、処理はステップＳＴ３０９へ移行する。また、ステップＳＴ３０８において、補助薬注制御部３１２により、ブローダウン処理が開始されていない（ＮＯ）と判定された場合に、処理はステップＳＴ３１４へ移行する。
【０１２１】
ステップＳＴ３０９（ステップＳＴ３０８：ＹＥＳ）において、補助薬注制御部３１２は、薬剤供給ポンプ３５０へのポンプ駆動信号の出力を停止して、補助薬注処理を強制終了させる。なお、補助薬注処理の中断があった場合、計時部３１３は、ステップＳＴ３０６で取得された投入時間Ｔｆを、そのまま薬注処理の実行時間Ｔとしてメモリ３２０に記憶させる。
【０１２２】
ステップＳＴ３１０において、補助薬注制御部３１２は、ブローダウン処理が終了したか否かを判定する。このステップＳＴ３１０において、補助薬注制御部３１２により、ブローダウン処理が終了した（ＹＥＳ）と判定された場合に、処理はステップＳＴ３１１へ移行する。また、ステップＳＴ３１０において、補助薬注制御部３１２により、ブローダウン処理が終了していない（ＮＯ）と判定された場合に、処理はステップＳＴ３１０へ戻る。
【０１２３】
ステップＳＴ３１１（ステップＳＴ３１０：ＹＥＳ／ステップＳＴ３１５：ＹＥＳ）において、補助薬注制御部３１２は、過去の直近３回分の薬注処理の実行時間Ｔに基づいて薬剤の投入時間Ｔｆを算出し、メモリ３２０に記憶させる。
【０１２４】
ステップＳＴ３１２において、補助薬注制御部３１２は、過去の直近３回分の薬注処理の実行間隔Ｚに基づいて薬注処理の許容待機時間Ｔｗを算出し、メモリ３２０に記憶させる。これにより、本フローチャートの処理は終了する（図６のステップＳＴ３０５へ移行する）。
【０１２５】
ステップＳＴ３１３（ステップＳＴ３０８：ＮＯ）において、補助薬注制御部３１２は、補助薬注処理が終了したか否かを判定する。このステップＳＴ３１３において、補助薬注制御部３１２により、補助薬注処理が終了した（ＹＥＳ）と判定された場合に、処理はステップＳＴ３１１へ移行する。また、ステップＳＴ３１３において、補助薬注制御部３１２により、補助薬注処理が終了していない（ＮＯ）と判定された場合に、処理はステップＳＴ３０８へ戻る。
【０１２６】
上述した本実施形態の薬剤供給装置３００によれば、例えば、以下のような効果が奏される。
【０１２７】
薬剤供給装置３００は、薬注処理の実行中にブローダウン処理が実行されると、薬注処理の実行を中断する。これにより、ブローダウン処理と薬注処理とが同時期に実行されることが回避される。そのため、薬注処理により供給された薬剤Ｗ３が直ちに循環水Ｗ２の一部と共に系外に排出されることがない。従って、薬剤供給装置３００によれば、中断（停止）させた薬注処理の実行中に開始されるブローダウン処理により、薬剤が無駄に消費されるのを抑制することができる。
【０１２８】
薬剤供給装置３００は、ブローダウン処理により薬注処理を中断させた場合には、そのブローダウン処理の終了後に、中断させた薬注処理において薬剤が供給されなかった時間と、ブローダウン処理の実行時間Ｔａとを合計した時間に比例した量の薬剤Ｗ３を循環水Ｗ２に供給させる。従って、薬剤供給装置３００によれば、中断させた薬注処理の実行中に次のブローダウン処理が実行された場合でも、そのブローダウン処理の終了後に、必要量の薬剤Ｗ３を速やかに循環水Ｗ２に供給することができる。
【０１２９】
また、薬剤供給装置３００は、過去の直近３回分の薬注処理の実行間隔Ｚに基づいて算出した時間を許容待機時間Ｔｗとして設定し、通常薬注処理が許容待機時間Ｔｗを超過しても実行されない場合に補助薬注処理を実行させる補助薬注制御部３１２を備える。
【０１３０】
冷却システム１において、薬注処理の実行間隔Ｚは、冷却塔１２０の負荷に比例する。すなわち、薬注処理の実行間隔Ｚは、冷却塔１２０が高負荷になれば短くなり、低負荷になれば長くなる。補助薬注制御部３１２は、過去の直近３回分の薬注処理の実行間隔に基づいて許容待機時間Ｔｗを算出する。そのため、薬剤供給装置３００では、冷却塔１２０の負荷に見合った実行間隔Ｔで補助薬注処理が実行される。従って、薬剤供給装置３００は、循環水Ｗ２の濃縮が進行する過程において、薬剤Ｗ３を適切なタイミングで循環水Ｗ２に供給することができる。その結果、循環水系内での薬効を効果的に維持することができる。
【０１３１】
また、補助薬注制御部３１２は、過去の直近３回分の薬注処理の実行時間Ｔに基づいて算出した時間を薬剤の投入時間Ｔｆとして設定する。薬注処理の実行時間Ｔは、補給水Ｗ１の水質に応じて変化する。すなわち、薬注処理の実行時間Ｔは、補給水Ｗ１の水質が悪化すれば長くなり、水質が回復すれば短くなる。補助薬注制御部３１２は、過去の直近３回分の薬注処理の実行時間Ｔに基づいて薬剤の投入時間Ｔｆを算出する。そのため、薬剤が補給水Ｗ１の水質に見合った投入時間Ｔｆに亘って循環水Ｗ２に供給される。従って、薬剤供給装置３００は、補給水Ｗ１の水質変化に応答して、適切な投入量の薬剤Ｗ３を循環水Ｗ２に供給することができる。その結果、循環水系内での薬効を効果的に維持することができる。
【０１３２】
また、補助薬注制御部３１２は、過去の直近３回分の薬注処理の実行間隔Ｚ、及び薬注処理の実行時間Ｔがメモリ３２０に存在しない場合には、メモリ３２０に予め設定された既定値を許容待機時間Ｔｗ及び投入時間Ｔｆとして使用する。そのため、薬剤供給装置３００は、冷却システム１の運転開始直後においても、補助薬注処理を実行することができる。
【０１３３】
以上、本発明の好適な実施形態について説明したが、本発明は上述した実施形態に限定されることなく、種々の形態で実施することができる。
【０１３４】
本実施形態では、ブローダウン処理の実行により必要となった薬剤の投入量を、ブローダウン処理の実行時間Ｔに基づいて算出する例について説明した。この例に限らず、ブローダウン処理の実行により必要となった薬剤の投入量を、ブローダウン処理中に冷却塔１２０に供給された補給水Ｗ１の補給水量に基づいて算出してもよい。補給水Ｗ１の補給水量は、例えば、第１補給水ラインＬ１２１に流量センサを設けることにより計測することができる。
【０１３５】
本実施形態では、循環水系を有する産業用設備として、循環水ラインＬ１１０を有する冷却塔１２０を例に説明した。この例に限らず、循環水系を有する産業用設備は、例えば、ボイラ装置であってもよい。
【０１３６】
ボイラ装置の場合、例えば、多管式の貫流ボイラでは、ボイラ本体で発生した気水混合物を上部ヘッダに連結された気水分離器で蒸気と飽和水とに分離し、飽和水を降水管（循環水系）により下部ヘッダに戻すように構成されている。従って、この種のボイラ装置において、循環水系を流通する水の一部を排出すると共に、外部から供給される補給水をボイラ本体に導入する処理を、ブローダウン処理と看做すことができる。
【０１３７】
本実施形態では、薬剤を貯留部１２２に供給する例について説明した。しかし、薬剤を循環水系（塔本体１２１及び循環水ラインＬ１１０）に供給することができれば、薬剤を供給する位置はこの例に限定されない。例えば、薬剤を塔本体１２１の散水部（不図示）に供給してもよいし、循環水供給ラインＬ１１１又は循環水回収ラインＬ１１２に供給してもよい。また、薬剤を補給水Ｗ１に供給してもよいし、補給水Ｗ１及び循環水Ｗ２の両方に供給してもよい。
【０１３８】
本実施形態では、ブローダウン処理として、補給水Ｗ１を強制的に冷却塔１２０へ供給することにより、循環水Ｗ２の一部を冷却塔１２０から系外に排出する例（強制補給）について説明した。このほかのブローダウン処理として、例えば、排水ラインＬ１３０に排水バルブを設け、この排水バルブを開いて循環水Ｗ２を冷却塔１２０から強制的に系外に排出することにより、補給水Ｗ１を冷却塔１２０へ供給させてもよい（強制排水）。この場合、排水ラインＬ１３０の上流側の端部は、貯留部１２２（図１参照）の底部に接続される。
【０１３９】
また、ブローダウン処理として、循環水Ｗ２の一部を循環水ラインＬ１１０から系外に排出してもよい。また、ブローダウン処理として、循環水Ｗ２の一部を冷却塔１２０及び循環水ラインＬ１１０の両方から系外に排出してもよい。
【０１４０】
本実施形態では、ＥＣセンサ１３３を貯留部１２２に配置する例について説明した。これに限らず、ＥＣセンサ１３３を循環水回収ラインＬ１１２に配置してもよい。また、本実施形態では、ＥＣセンサ１３３で検出された電気伝導率ＥＣが上限閾値ＥＣｂ１以上となった場合にブローダウン処理を実行させる例について説明した。このほか、冷却塔１２０の蒸発損失量を検出し、検出した蒸発損失量に基づいて循環水Ｗ２の濃縮度を推定することにより、ブローダウン処理の実行の可否を判定するようにしてもよい。
【０１４１】
本実施形態では、薬剤供給装置３００の薬剤供給ポンプ３５０として、電磁駆動ダイアフラム式の定量ポンプを用いる例について説明した。この例に限らず、薬剤供給ポンプ３５０として、プランジャーポンプ、ベローズポンプ等の定量吐出ポンプを用いてもよい。
【０１４２】
本実施形態では、冷却塔１２０を開放式冷却塔として構成した例について示した。この例に限らず、冷却塔１２０を密閉式冷却塔として構成してもよい。
【０１４３】
本発明は、その精神又は主要な特徴から逸脱することなく、他のいろいろな形で実施することができる。そのため、上記の実施形態若しくは実施例は、あらゆる点で単なる例示に過ぎず、限定的に解釈してはならない。本発明の範囲は、請求の範囲によって示すものであって、明細書本文には何ら拘束されない。更に、請求の範囲の均等範囲に属する変形や変更は、全て本発明の範囲内のものである。
【符号の説明】
【０１４４】
１  冷却システム
１００  システム制御ユニット
１２０  冷却塔
１２２  貯留部
１３２  循環水ポンプ
１３３  ＥＣセンサ（電気伝導率センサ）
１３６  補給水バルブ
１３７  給水栓
１３８  オーバーフロー口
２００  ブローダウン処理制御部
２１０  メモリ
３００  薬剤供給装置
３１０  薬注制御ユニット
３１１  比例薬注制御部（薬剤供給制御部）
３１２  補助薬注制御部
３１３  計時部
３２０  メモリ（記憶部）
３３０  薬剤タンク（薬剤供給手段）
３５０  薬剤供給ポンプ（薬剤供給手段）
Ｌ１１０  循環水ライン
Ｌ１２０  補給水ライン
Ｌ１３０  排水ライン
Ｌ１４０  薬剤供給ライン
Ｗ１  補給水
Ｗ２  循環水
Ｗ３  薬剤
【図１】
0005720865.tif 000002
【図２】
0005720865.tif 000003
【図３】
0005720865.tif 000004
【図４】
0005720865.tif 000005
【図５】
0005720865.tif 000006
【図６】
0005720865.tif 000007
【図７】
0005720865.tif 000008
【図８】
0005720865.tif 000009